(57)【要約】  楽音データ再生装置は、鍵盤状の演奏操作子群、割り当て部、操作検出部および再生制御部を含む。演奏操作子群は、複数の黒鍵および白鍵にそれぞれ相当する複数の第１および第２の演奏操作子の並びを有する。演奏操作子群には、少なくとも一つの第１の演奏操作子と少なくとも一つの第２の演奏操作子とを含む一部の領域が第１の鍵域として設定される。割り当て部は、第１の鍵域に楽音データを割り当てる。操作検出部は、演奏操作子群の複数の第１および第２の演奏操作子の各々への操作を検出する。再生制御部は、第１の鍵域の第１および第２の演奏操作子のうち一方の演奏操作子への操作の検出に応答して、割り当てられた楽音データの再生方法に関する第１の制御を行い、第１の鍵域の第１および第２の演奏操作子のうち他方の演奏操作子への操作の検出に応答して、割り当てられた楽音データの再生方法に関しかつ第１の制御と異なる第２の制御を行う。
2019049383.tif 000002
【特許請求の範囲】
【請求項１】
複数の黒鍵および白鍵にそれぞれ相当する複数の第１および第２の演奏操作子の並びを有し、かつ少なくとも１つの第１の演奏操作子と少なくとも１つの第２の演奏操作子とを含む一部の領域が第１の鍵域として設定された鍵盤状の演奏操作子群と、
前記第１の鍵域に楽音データを割り当てる割り当て部と、
前記演奏操作子群の前記複数の第１および第２の演奏操作子の各々への操作を検出する操作検出部と、
前記第１の鍵域の第１および第２の演奏操作子のうち一方の演奏操作子への操作の検出に応答して、前記割り当てられた楽音データの再生方法に関する第１の制御を行い、前記第１の鍵域の第１および第２の演奏操作子のうち他方の演奏操作子への操作の検出に応答して、前記割り当てられた楽音データの再生方法に関しかつ前記第１の制御と異なる第２の制御を行う再生制御部とを備えた、楽音データ再生装置。
【請求項２】
前記楽音データは、ループ再生可能な楽音データを含み、
前記楽音データの再生方法に関する第１および第２の制御の各々は、楽音データのループ再生の開始、楽音データの１回再生の開始、楽音データのループ再生の停止または楽音データの１回再生の停止のいずれかを含む、請求項１記載の楽音データ再生装置。
【請求項３】
前記演奏操作子群は、
異なる音高に対応する複数の第１および第２の演奏操作子を含みかつ前記第１の鍵域とは異なる領域に設定された第２の鍵域を含み、
前記割り当て部は、前記第２の鍵域に楽音データを割り当て、
前記再生制御部は、前記第２の鍵域の複数の第１および第２の演奏操作子の各々への操作の検出に応答して、操作された第１または第２の演奏操作子に対応する音高に基づいて、前記割り当てられた楽音データの音高をシフトし、シフトされた音高を有する楽音データを再生する、請求項１または２記載の楽音データ再生装置。
【請求項４】
前記第１の鍵域は、前記演奏操作子群において前記第２の鍵域よりも高い音域側に設定された、請求項３記載の楽音データ再生装置。
【請求項５】
前記演奏操作子群は、
異なる音高に対応する複数の第１および第２の演奏操作子を含みかつ前記第１の鍵域および第２の鍵域とは異なる領域に設定可能な第３の鍵域を含み、
前記再生制御部は、前記第３の鍵域の複数の第１および第２の演奏操作子の各々への操作の検出に応答して、操作された第１または第２の演奏操作子に対応する音高に基づくコードを検出し、検出されたコードに基づく楽音データを再生する、請求項３または４記載の楽音データ再生装置。
【請求項６】
前記第１の鍵域に割り当てられた楽音データがループ再生可能であるか否かを判定する判定部をさらに備え、
前記第１および第２の演奏操作子の各々は、当該演奏操作子への操作によりオン状態とオフ状態とに切り替えられ、
前記再生制御部は、前記判定部の判定結果および前記一方の演奏操作子の状態の変化の仕方に基づいて前記第１の制御を行い、前記判定部の判定結果および前記他方の演奏操作子の状態の変化の仕方に基づいて前記第２の制御を行う、請求項１〜５のいずれか一項に記載の楽音データ再生装置。
【請求項７】
前記再生制御部は、楽音データがループ再生可能であると判定された場合に、前記一方の演奏操作子のオン状態への第１の切り替わりに応答して楽音データのループ再生を開始し、前記一方の演奏操作子のオン状態への第２の切り替わりに応答して楽音データのループ再生を停止する、請求項６記載の楽音データ再生装置。
【請求項８】
前記再生制御部は、楽音データがループ再生可能であると判定された場合に、前記他方の演奏操作子がオン状態に保持されている間、楽音データのループ再生を行い、前記他方の演奏操作子のオフ状態への切り替わりに応答して楽音データのループ再生を停止する、請求項６または７記載の楽音データ再生装置。
【請求項９】
複数の黒鍵および白鍵にそれぞれ相当する複数の第１および第２の演奏操作子の並びを有する鍵盤状の演奏操作子群において少なくとも１つの第１の演奏操作子と少なくとも１つの第２の演奏操作子とを含む第１の鍵域に楽音データを割り当てるステップと、
前記演奏操作子群の前記複数の第１および第２の演奏操作子の各々への操作を検出するステップと、
前記第１の鍵域の第１および第２の演奏操作子のうち一方の演奏操作子への操作の検出に応答して、前記割り当てられた楽音データの再生方法に関する第１の制御を行い、前記第１の鍵域の第１および第２の演奏操作子のうち他方の演奏操作子への操作の検出に応答して、前記割り当てられた楽音データの再生方法に関しかつ前記第１の制御と異なる第２の制御を行うステップとを含む、楽音データ再生方法。
【発明の詳細な説明】
【技術分野】
【０００１】
本発明は、楽音データを再生する楽音データ再生装置および楽音データ再生方法に関する。
【背景技術】
【０００２】
従来、鍵盤の各鍵にバスドラム、スネアドラム等のリズム音を割り当てることが可能な電子楽器が知られている。例えば、特許文献１に記載された電子楽器によれば、鍵盤の複数の鍵域にそれぞれ通常の鍵盤音またはリズム音が割り当てられる。使用者は、鍵域ごとに通常の鍵盤音を発生させるかまたはリズム音を発生させるかを選択することができる。
【特許文献１】特開平３−２１３８９７号公報
【発明の概要】
【発明が解決しようとする課題】
【０００３】
上記の特許文献１に記載された電子楽器では、使用者は各鍵域の鍵を操作することにより通常の鍵盤音またはリズム音を発生させることができる。しかしながら、使用者が、演奏中にループ再生のオンオフ等の再生方法に関する制御を容易に切り替え可能であることが望まれる。【０００４】
本発明は、演奏中に楽音データの再生方法に関する制御を容易に切り替えることを可能とする楽音データ再生装置および楽音データ再生方法を提供することである。
【課題を解決するための手段】
【０００５】
本発明の一局面に従う楽音データ再生装置は、複数の黒鍵および白鍵にそれぞれ相当する複数の第１および第２の演奏操作子の並びを有し、かつ少なくとも１つの第１の演奏操作子と少なくとも１つの第２の演奏操作子とを含む一部の領域が第１の鍵域として設定された鍵盤状の演奏操作子群と、第１の鍵域に楽音データを割り当てる割り当て部と、演奏操作子群の複数の第１および第２の演奏操作子の各々への操作を検出する操作検出部と、第１の鍵域の第１および第２の演奏操作子のうち一方の演奏操作子への操作の検出に応答して、割り当てられた楽音データの再生方法に関する第１の制御を行い、第１の鍵域の第１および第２の演奏操作子のうち他方の演奏操作子への操作の検出に応答して、割り当てられた楽音データの再生方法に関しかつ第１の制御と異なる第２の制御を行う再生制御部とを備える。【０００６】
楽音データは、ループ再生可能な楽音データを含み、楽音データの再生方法に関する第１および第２の制御の各々は、楽音データのループ再生の開始、楽音データの１回再生の開始、楽音データのループ再生の停止または楽音データの１回再生の停止のいずれかを含んでもよい。【０００７】
演奏操作子群は、異なる音高に対応する複数の第１および第２の演奏操作子を含みかつ第１の鍵域とは異なる領域に設定された第２の鍵域を含み、割り当て部は、第２の鍵域に楽音データを割り当て、再生制御部は、第２の鍵域の複数の第１および第２の演奏操作子の各々への操作の検出に応答して、操作された第１または第２の演奏操作子に対応する音高に基づいて、割り当てられた楽音データの音高をシフトし、シフトされた音高を有する楽音データを再生してもよい。【０００８】
第１の鍵域は、演奏操作子群において第２の鍵域よりも高い音域側に設定されてもよい。【０００９】
演奏操作子群は、異なる音高に対応する複数の第１および第２の演奏操作子を含みかつ第１の鍵域および第２の鍵域とは異なる領域に設定可能な第３の鍵域を含み、再生制御部は、第３の鍵域の複数の第１および第２の演奏操作子の各々への操作の検出に応答して、操作された第１または第２の演奏操作子に対応する音高に基づくコードを検出し、検出されたコードに基づく楽音データを再生してもよい。【００１０】
楽音データ再生装置は、第１の鍵域に割り当てられた楽音データがループ再生可能であるか否かを判定する判定部をさらに備え、第１および第２の演奏操作子の各々は、当該演奏操作子への操作によりオン状態とオフ状態とに切り替えられ、再生制御部は、判定部の判定結果および一方の演奏操作子の状態の変化の仕方に基づいて第１の制御を行い、判定部の判定結果および他方の演奏操作子の状態の変化の仕方に基づいて第２の制御を行ってもよい。【００１１】
再生制御部は、楽音データがループ再生可能であると判定された場合に、一方の演奏操作子のオン状態への第１の切り替わりに応答して楽音データのループ再生を開始し、一方の演奏操作子のオン状態への第２の切り替わりに応答して楽音データのループ再生を停止してもよい。【００１２】
再生制御部は、楽音データがループ再生可能であると判定された場合に、他方の演奏操作子がオン状態に保持されている間、楽音データのループ再生を行い、他方の演奏操作子のオフ状態への切り替わりに応答して楽音データのループ再生を停止してもよい。【００１３】
本発明の他の局面に従う楽音データ再生方法は、複数の黒鍵および白鍵にそれぞれ相当する複数の第１および第２の演奏操作子の並びを有する鍵盤状の演奏操作子群において少なくとも１つの第１の演奏操作子と少なくとも１つの第２の演奏操作子とを含む第１の鍵域に楽音データを割り当てるステップと、演奏操作子群の複数の第１および第２の演奏操作子の各々への操作を検出するステップと、第１の鍵域の第１および第２の演奏操作子のうち一方の演奏操作子への操作の検出に応答して、割り当てられた楽音データの再生方法に関する第１の制御を行い、第１の鍵域の第１および第２の演奏操作子のうち他方の演奏操作子への操作の検出に応答して、割り当てられた楽音データの再生方法に関しかつ第１の制御と異なる第２の制御を行うステップとを含む。
【発明の効果】
【００１４】
本発明によれば、演奏中に楽音データの再生方法に関する制御を容易に切り替えることが可能となる。
【図面の簡単な説明】
【００１５】
【図１】図１は本発明の一実施の形態に係る楽音データ再生装置を含む電子音楽装置の構成を示すブロック図である。
【図２】図２は図１の演奏操作子群の鍵域を示す模式図である。
【図３】図３は図１の主として楽音データ再生装置の機能的な構成を示すブロック図である。
【図４】図４は鍵域情報の一例を示す図である。
【図５】図５は図２の楽音データ再生装置における楽音データ再生方法を示すフローチャートである。
【図６】図６は図２の楽音データ再生装置における楽音データ再生方法を示すフローチャートである。
【図７】図７はノートオン時の第１の再生制御を示すフローチャートである。
【図８】図８はノートオン時の第２の再生制御を示すフローチャートである。
【図９】図９はノートオン時の第３の再生制御を示すフローチャートである。
【図１０】図１０はノートオフ時の第１および第２の再生制御を示すフローチャートである。
【図１１】図１１はノートオフ時の第３の再生制御を示すフローチャートである。
【図１２】図１２はリズム鍵域の鍵が操作された場合の第１の再生制御の他の例を示すフローチャートである。
【発明を実施するための形態】
【００１６】
以下、本発明の実施の形態に係る楽音データ再生装置および楽音データ再生方法について図面を用いて詳細に説明する。
【００１７】
（１）電子音楽装置の構成
図１は本発明の一実施の形態に係る楽音データ再生装置を含む電子音楽装置の構成を示すブロック図である。
【００１８】
図１の電子音楽装置１は、例えば電子鍵盤楽器である。電子音楽装置１は、演奏操作子群２、設定操作部３および表示器４を備える。本実施の形態では、演奏操作子群２は、複数の黒鍵および白鍵にそれぞれ相当する複数の第１および第２の演奏操作子の並びを有し、バス１４に接続される。なお、演奏操作子群２の複数の第１および第２の演奏操作子は、後述するタッチパネルの画面上に表示された複数の黒鍵および白鍵の画像であってもよい。
【００１９】
設定操作部３は、オンオフ操作される操作スイッチ、回転操作される操作スイッチ、またはスライド操作される操作スイッチ等を含み、バス１４に接続される。この設定操作部３は、後述する鍵域の設定、演奏データの割り当て、音量の調整、電源のオンオフおよび各種設定を行うために用いられる。表示器４は、例えば液晶ディスプレイを含み、バス１４に接続される。表示器４には、楽曲名、楽譜、またはその他の各種情報が表示される。表示器４がタッチパネルディスプレイであってもよい。この場合、演奏操作子群２または設定操作部３の一部または全てが表示器４に表示されてもよい。使用者は、表示器４を操作することにより各種操作を指示することができる。
【００２０】
電子音楽装置１は、音源部５およびサウンドシステム６を備える。音源部５はバス１４に接続され、演奏操作子群２の操作により再生される楽音データ等に基づいてオーディオデータ（音響信号）を生成する。オーディオデータは、音の波形を示すサンプリングデータである。サウンドシステム６は、デジタルアナログ（Ｄ／Ａ）変換回路、増幅器およびスピーカを含む。このサウンドシステム６は、音源部５から与えられるオーディオデータをアナログ音信号に変換し、アナログ音信号に基づく音を発生する。
【００２１】
電子音楽装置１は、記憶装置７、ＣＰＵ（中央演算処理装置）８、タイマ９、ＲＡＭ（ランダムアクセスメモリ）１０、ＲＯＭ（リードオンリメモリ）１１、および通信Ｉ／Ｆ（インタフェース）１２をさらに備える。記憶装置７、ＣＰＵ８、ＲＡＭ１０、ＲＯＭ１１および通信Ｉ／Ｆ１２はバス１４に接続される。タイマ９はＣＰＵ８に接続される。外部記憶装置１３等の外部機器が通信Ｉ／Ｆ１２を介してバス１４に接続されてもよい。
【００２２】
記憶装置７は、ハードディスク、光学ディスク、磁気ディスクまたはメモリカード等の記憶媒体を含む。この記憶装置７には、楽器の演奏音を示す演奏データおよび自動伴奏のための伴奏スタイルデータが記憶されるととともに鍵域情報が記憶される。本実施の形態では、楽音データは演奏データおよび後述する自動伴奏データを含む。楽音データは、オーディオデータであってもよく、ＭＩＤＩ（Musical Instrument Digital Interface）データであってもよい。鍵域情報については後述する。また、記憶装置７には、楽音データ再生プログラム等のコンピュータプログラムが記憶される。
【００２３】
ＲＡＭ１０は、例えば揮発性メモリからなり、ＣＰＵ８の作業領域として用いられるとともに、各種データを一時的に記憶する。ＲＯＭ１１は、例えば不揮発性メモリからなり、制御プログラムを記憶する。ＲＯＭ１１が楽音データ再生プログラム等のコンピュータプログラムを記憶してもよい。ＣＰＵ８は、記憶装置７またはＲＯＭ１１に記憶された楽音データ再生プログラムを実行することにより後述する楽音データ再生方法を行う。タイマ９は、時間経過を示す時間情報をＣＰＵ８に与える。記憶装置７、ＣＰＵ８、タイマ９、ＲＡＭ１０およびＲＯＭ１１が楽音データ再生装置１００を構成する。
【００２４】
楽音データ再生プログラムは、コンピュータが読み取り可能な記録媒体に格納された形態で提供され、記憶装置７またはＲＯＭ１１にインストールされてもよい。また、楽音データ再生プログラムが外部記憶装置１３に記憶されてもよい。さらに、通信Ｉ／Ｆ１２が通信網に接続されている場合、通信網に接続されたサーバから配信された楽音データ再生プログラムが記憶装置７またはＲＯＭ１１にインストールされてもよい。
【００２５】
（２）演奏操作子群２の鍵域
図２は図１の演奏操作子群２の鍵域を示す模式図である。図２に示すように、本実施の形態では、演奏操作子群２は鍵盤２０を含む。鍵盤２０は複数の黒鍵ＢＫおよび白鍵ＷＨの並びを有する。複数の黒鍵ＢＫおよび白鍵ＷＨの並びには、左から右へ順に高くなる音高が対応付けられている。
【００２６】
鍵盤２０の中央部に音高シフト鍵域Ｎ１が設定され、鍵盤２０の右部分（高音域側の領域）に複数のリズム鍵域Ｄ１〜Ｄ６が設定され、鍵盤２０の左部分（低音域側の領域）にコード検出鍵域ＣＤが設定されている。音高シフト鍵域Ｎ１とコード検出鍵域ＣＤとの境界であるスプリットポイントＳＰは、使用者が設定操作部３を操作することにより任意の位置に設定される。リズム鍵域Ｄ１〜Ｄ６の各々は、少なくとも１つの黒鍵ＢＫと少なくとも１つの白鍵ＷＨとを含む。例えば、リズム鍵域Ｄ１は、１つの黒鍵ＢＫと２つの白鍵ＷＨとを含み、リズム鍵域Ｄ２は、２つの黒鍵ＢＫと２つの白鍵ＷＨとを含む。
【００２７】
図１の記憶装置７に記憶される演奏データは、時系列に複数の音高が変化する変化パターンを有する複数種類の演奏データとドラム等のリズムパターンを有する複数種類の演奏データとを含む。以下、両方の演奏データを区別する場合には、時系列に複数の音高が変化する変化パターンを有する演奏データを音程演奏データと呼び、リズムパターンを有する演奏データをリズム演奏データと呼ぶ。なお、音程演奏データは、各時点において１または複数の音高を含んでもよい。ここで、１つの演奏データが繰り返し再生されることをループ再生と呼び、１つの演奏データが１回のみ再生されることを通常再生と呼ぶ。演奏データには、ループ再生可能なループ有効データと、ループ再生可能でないループ無効データとがある。
【００２８】
リズム鍵域Ｄ１〜Ｄ６の各々には、複数種類のリズム演奏データのいずれかが割り当てられる。本実施の形態では、リズム演奏データは、例えば、１小節以下のオーディオデータである。なお、リズム演奏データがＭＩＤＩデータであってもよい。
【００２９】
音高シフト鍵域Ｎ１には、複数種類の音程演奏データのいずれかが割り当てられる。音程演奏データは、音高シフトされることができる。具体的には、音高シフト鍵域Ｎ１内の押された鍵に応じて音程演奏データの各音高がシフトされる。使用者がコード検出鍵域ＣＤ内でコードを構成する複数の鍵を押すと、図１の記憶装置７に記憶される伴奏スタイルデータとコードとに基づいて自動伴奏データが生成される。
【００３０】
（３）楽音データ再生装置１００の機能的な構成
図３は図１の主として楽音データ再生装置１００の機能的な構成を示すブロック図である。図３に示すように、楽音データ再生装置１００は、操作検出部１０１、割り当て部１０２、鍵域設定部１０３、コード検出部１０４、鍵域識別部１０５、再生制御部１０６および判定部１０７を含む。楽音データ再生装置１００の各構成部分（１０１〜１０７）の機能は、図１のＣＰＵ８が記憶装置７またはＲＯＭ１１に記憶された楽音データ再生プログラムを実行することにより実現される。
【００３１】
使用者が演奏操作子群２の鍵を押すと、押された鍵に対応する音高を含むノートオンイベント（以下、ノートオンと略記する。）が発生する。ノートオンは鍵のオン状態に相当する。また、使用者が演奏操作子群２の鍵を離すと、離された鍵に対応する音高を含むノートオフイベント（以下、ノートオフと略記する。）が発生する。ノートオフは鍵のオフ状態に相当する。操作検出部１０１は、演奏操作子群２の操作によるノートオンおよびノートオフを検出する。
【００３２】
割り当て部１０２は、使用者による設定操作部３の操作に基づいて、図２のリズム鍵域Ｄ１〜Ｄ６にリズム演奏データを割り当て、音高シフト鍵域Ｎ１に音程演奏データを割り当てる。鍵域設定部１０３は、使用者による設定操作部３の操作に基づいて、図１の演奏操作子群２にリズム鍵域Ｄ１〜Ｄ６、音高シフト鍵域Ｎ１およびコード検出鍵域ＣＤを設定する。鍵域設定部１０３による鍵域の設定および割り当て部１０２による演奏データの割り当ては鍵域情報として記憶装置７に記憶される。
【００３３】
コード検出部１０４は、操作検出部１０１によりコード検出鍵域ＣＤ内のノートオンが検出された場合に、ノートオンの音高に基づいてコードを検出する。鍵域識別部１０５は、操作検出部１０１により検出されたノートオンの音高が属する鍵域を識別する。判定部１０７は、演奏データがループ有効データであるかループ無効データであるかを判定する。
【００３４】
再生制御部１０６は、操作検出部１０１により検出されたノートオンまたはノートオフ、鍵域識別部１０５により識別された鍵域、記憶装置７に記憶された鍵域情報および判定部１０７による判定結果に基づいて、演奏データの再生方法を制御する。また、再生制御部１０６は、操作検出部１０１により検出されたノートオンまたはノートオフ、鍵域識別部１０５により識別された鍵域、記憶装置７に記憶された鍵域情報、コード検出部１０４により検出されたコードおよび記憶装置７に記憶された伴奏スタイルデータに基づいて、自動伴奏データの再生方法を制御する。ここで、演奏データまたは自動伴奏データの再生とは、演奏データまたは自動伴奏データを音源部５に出力することを意味する。再生制御部１０６により演奏データまたは自動伴奏データが再生されると、サウンドシステム６から演奏データに基づく演奏音または自動伴奏データに基づく自動伴奏音が発生される。
【００３５】
本実施の形態では、再生制御部１０６は、リズム鍵域Ｄ１〜Ｄ６内の黒鍵ＢＫまたは白鍵ＷＨへの操作に基づいて、演奏データの再生方法に関する第１の制御および第２の制御を行う。鍵への操作には、鍵を押す操作（押鍵）と、鍵を離す操作（離鍵）とがある。鍵を押す操作によりその鍵がオン状態となり、鍵を離す操作によりその鍵がオフ状態となる。再生方法には、例えば、ループ再生および通常再生がある。また、再生方法に関する第１および第２の制御の各々は、例えば、ループ再生の開始、通常再生の開始、ループ再生の停止および通常再生の停止のいずれかを含む。本実施の形態では、リズム鍵域Ｄ１〜Ｄ６内の黒鍵ＢＫの操作による制御が第１の制御に相当し、リズム鍵域Ｄ１〜Ｄ６内の白鍵ＷＨの操作による制御が第２の制御に相当する。再生制御部１０６は、黒鍵ＢＫの状態の変化の仕方に基づいて第１の制御を行い、白鍵ＷＨの状態の変化の仕方に基づいて第２の制御を行う。鍵の状態の変化の仕方とは、鍵のオン状態からオフ状態への切り替わり、鍵のオフ状態からオン状態への切り替わり、鍵のオン状態またはオフ状態の保持、および鍵のオフ状態からオン状態への複数回の切り替わりのうちいずれか１つまたは２以上の組み合わせを含む。
【００３６】
（４）鍵域情報
図４は鍵域情報の一例を示す図である。図４の例では、演奏操作子群２の鍵盤２０の音高の低い鍵から高い鍵へ順に鍵番号（例えばＭＩＤＩキーナンバー）が付されている。鍵番号“２８”〜 “５２”の複数の鍵にコード検出鍵域ＣＤが設定され、鍵番号“５３”〜 “８３”の複数の鍵に音高シフト鍵域Ｎ１が設定されている。鍵番号“８４”〜 “１０３”の複数の鍵には、リズム鍵域Ｄ１〜Ｄ６が順に設定されている。例えば、リズム鍵域Ｄ１は鍵番号“８４”〜“８６”の連続する３つの鍵に設定されている。
【００３７】
音高シフト鍵域Ｎ１には、演奏データとして音程演奏データ “ＰＡ”が割り当てられ、リズム鍵域Ｄ１〜Ｄ６には、演奏データとしてリズム演奏データ“Ｐ１”〜“Ｐ６”がそれぞれ割り当てられている。リズム演奏データ“Ｐ１”〜“Ｐ６”の各々は、ループ有効データまたはループ無効データである。
【００３８】
（５）楽音データ再生方法の一例
図５および図６は図２の楽音データ再生装置１００における楽音データ再生方法を示すフローチャートである。図５および図６の楽音データ再生方法は、図１のＣＰＵ８が記憶装置７またはＲＯＭ１１に記憶された楽音データ再生プログラムを実行することにより行われる。以下の説明では、リズム鍵域Ｄ１〜Ｄ６のうち任意のリズム鍵域をリズム鍵域Ｄｋと呼ぶ。ｋは１〜６の任意の値である。
【００３９】
本例では、リズム鍵域Ｄｋに割り当てられたリズム演奏データがループ有効データである場合に、次の再生制御が行われる。使用者がリズム鍵域Ｄｋ内の１つ以上の黒鍵ＢＫのいずれかを１回押すとリズム演奏データのループ再生が開始され、使用者が黒鍵ＢＫを離してもループ再生が継続する。ループ再生中に使用者がリズム鍵域Ｄｋ内の１つ以上の黒鍵ＢＫのいずれかまたは１つ以上の白鍵ＷＨのいずれかを再度押すとループ再生が停止される。使用者がリズム鍵域Ｄｋ内の１つ以上の白鍵ＷＨのいずれかを押し続けるとリズム演奏データのループ再生が行われ、白鍵ＷＨを離すとループ再生が停止される。
【００４０】
一方、リズム鍵域Ｄｋに割り当てられたリズム演奏データがループ無効データである場合、次の再生制御が行われる。使用者がリズム鍵域Ｄｋ内の任意の鍵（黒鍵ＢＫまたは白鍵ＷＨ）を押し続けると通常再生が行われ、リズム演奏データの１回の再生後、再生が停止される。通常再生中に使用者がリズム鍵域Ｄｋ内の鍵（白鍵ＷＨまたは黒鍵ＢＫ）を離すと通常再生が停止される。
【００４１】
まず、割り当て部１０２および鍵域設定部１０３が初期設定を行う（ステップＳ１）。具体的には、鍵域設定部１０３は、設定操作部３の操作に基づいて鍵盤２０にリズム鍵域Ｄ１〜Ｄ６、音高シフト鍵域Ｎ１およびコード検出鍵域ＣＤを設定する。また、割り当て部１０２は、設定操作部３の操作に基づいてリズム鍵域Ｄ１〜Ｄ６の各々へのリズム演奏データの割り当て、音高シフト鍵域Ｎ１への音程演奏データを割り当て、およびコード検出鍵域ＣＤのための伴奏スタイルデータの選択および設定を行う。
【００４２】
割り当て部１０２および鍵域設定部１０３は、設定操作部３による設定の変更の操作が行われたか否かを判定する（ステップＳ２）。設定の変更の操作が行われた場合には、割り当て部１０２および鍵域設定部１０３はステップＳ１に戻る。
【００４３】
設定の変更の操作が行われない場合には、操作検出部１０１は、ノートオンの検出を判定する（ステップＳ３）。ノートオンが検出された場合には、鍵域識別部１０５はノートオンの音高が属する鍵域を識別し（ステップＳ４）、識別された鍵域がコード検出鍵域ＣＤであるか否かを判定する（ステップＳ５）。識別された鍵域がコード検出鍵域ＣＤでない場合には、鍵域識別部１０５は識別された鍵域がリズム鍵域Ｄ１〜Ｄ６であるか否かを判定する（ステップＳ６）。
【００４４】
識別された鍵域がリズム鍵域Ｄ１〜Ｄ６である場合には、図７に示されるノートオン時の第１の再生制御が行われる（ステップＳ７）。識別された鍵域がリズム鍵域Ｄ１〜Ｄ６でない場合（音高シフト鍵域Ｎ１である場合）には、図８に示されるノートオン時の第２の再生制御が行われる（ステップＳ８）。識別された鍵域がコード検出鍵域ＣＤである場合には、図９に示されるノートオン時の第３の再生制御が行われる（ステップＳ９）。
【００４５】
次に、操作検出部１０１は、ノートオフの検出を判定する（ステップＳ１０）。ノートオフが検出された場合には、鍵域識別部１０５は、ノートオフの音高が属する鍵域を識別し（ステップＳ１１）、識別された鍵域がコード検出鍵域ＣＤであるか否かを判定する（ステップＳ１２）。識別された鍵域がコード検出鍵域ＣＤでない場合（リズム鍵域Ｄ１〜Ｄ６または音高シフト鍵域Ｎ１である場合）には、図１０に示されるノートオフ時の第１および第２の再生制御が行われる（ステップＳ１３）。識別された鍵域がコード検出鍵域ＣＤである場合には、図１１に示されるノートオフ時の第３の再生制御が行われる（ステップＳ１４）。
【００４６】
その後、再生制御部１０６は、設定操作部３により演奏の終了が指示されたか否かを判定する（ステップＳ１５）。演奏の終了が指示されていな場合には、再生制御部１０６はステップＳ３に戻り、ステップＳ３〜Ｓ１５の処理が繰り返される。演奏の終了が指示された場合には、再生制御部１０６は再生停止処理を行う（ステップＳ１６）。再生停止処理では、演奏データおよび自動伴奏データの再生が停止される。
【００４７】
図７はノートオン時の第１の再生制御を示すフローチャートである。使用者がリズム鍵域Ｄ１〜Ｄ６内の鍵を押すことによりステップＳ３でノートオンが検出された場合には、図７のノートオン時の第１の再生制御が行われる。判定部１０７は、鍵域情報に基づいて、リズム鍵域Ｄｋに割り当てられたリズム演奏データがループ有効データであるか否かを判定する（ステップＳ７１）。
【００４８】
リズム演奏データがループ有効データである場合には、再生制御部１０６は、リズム演奏データがループ再生中であるか否かを判定する（ステップＳ７２）。リズム演奏データがループ再生中でない場合（リズム演奏データの再生が停止中である場合）には、再生制御部１０６は、リズム演奏データのループ再生を先頭から開始し（ステップＳ７３）、図６のステップＳ１０に進む。これにより、使用者は、ループ有効データであるリズム演奏データの再生の停止中にリズム鍵域Ｄｋの黒鍵ＢＫまたは白鍵ＷＨを押すことによりリズム演奏データのループ再生を開始させることができる。
【００４９】
リズム鍵域Ｄｋ内の黒鍵ＢＫが押されることによりループ再生が開始された後にその黒鍵ＢＫが離されても、ループ再生は継続される。一方、リズム鍵域Ｄｋ内の白鍵ＷＨが押されることによりループ再生が開始された後に白鍵ＷＨが離されると、ループ再生は停止される。ステップＳ７２においてリズム演奏データがループ再生中である場合には、再生制御部１０６は、リズム演奏データのループ再生を停止し（ステップＳ７５）、図６のステップＳ１０に進む。これにより、使用者は、リズム演奏データのループ再生中にリズム鍵域Ｄｋの黒鍵ＢＫまたは白鍵ＷＨを押すことによりリズム演奏データの再生を停止させることができる。
【００５０】
ステップＳ７１においてリズム演奏データがループ無効データである場合には、再生制御部１０６は、リズム演奏データの通常再生を先頭から開始し（ステップＳ７４）、ステップＳ１０に進む。これにより、使用者は、ループ無効データであるリズム演奏データの再生中または再生の停止中にリズム鍵域Ｄｋの黒鍵ＢＫまたは白鍵ＷＨを押すことによりリズム演奏データを先頭から通常再生させることができる。
【００５１】
図８はノートオン時の第２の再生制御を示すフローチャートである。使用者が音高シフト鍵域Ｎ１内の鍵を押すことによりステップＳ３でノートオンが検出された場合には、図８のノートオン時の第２の再生制御が行われる。再生制御部１０６は、鍵域情報に基づいて、音高シフト鍵域Ｎ１に割り当てられた音程演奏データの基準キーとノートオンの音高とに基づいて音高シフト量を算出する（ステップＳ８１）。また、再生制御部１０６は、音程演奏データが再生中であるか否かを判定する（ステップＳ８２）。音程演奏データが再生中である場合には、算出された音高シフト量に基づいて再生中の音程演奏データの音高シフトを行い（ステップＳ８３）、ステップＳ１０に進む。これにより、使用者は、音程演奏データの再生中に音高シフト鍵域Ｎ１内の所望の鍵を押すことによりその鍵に応じて再生中の音程演奏データの音高をシフトさせることができる。
【００５２】
ステップＳ８２において音程演奏データが再生中でない場合には、再生制御部１０６は、算出された音高シフト量に基づいて音程演奏データの音高シフトを行い（ステップＳ８４）、音高シフト後の音程演奏データの再生を開始し（ステップＳ８５）、ステップＳ１０に進む。これにより、使用者は、音程演奏データの再生の停止中に音高シフト鍵域Ｎ１内の所望の鍵を押すことによりその鍵に応じた音高で音程演奏データの再生を開始させることができる。なお、音高シフト鍵域Ｎ１のノートオンの検出ごとにステップＳ８４，Ｓ８５の処理が行われてもよい。この場合、ステップＳ８２，Ｓ８３は設けられず、ステップＳ８１の次にステップＳ８４，Ｓ８５の処理が行われる。
【００５３】
図９はノートオン時の第３の再生制御を示すフローチャートである。使用者がコード検出鍵域ＣＤ内の複数の鍵を押すことによりステップＳ３でノートオンが検出された場合には、図９のノートオン時の第３の再生制御が行われる。コード検出部１０４は、ノートオンの音高に基づいてコードを検出する（ステップＳ９１）。再生制御部１０６は、検出されたコードと予め設定された伴奏スタイルデータとに基づいて自動伴奏データを生成し（ステップＳ９２）、生成された自動伴奏データを再生し（ステップＳ９３）、ステップＳ１０に進む。これにより、使用者は、コード検出鍵域ＣＤの複数の鍵を押すことによりコードに対応した自動伴奏データを再生させることができる。
【００５４】
図１０はノートオフ時の第１および第２の再生制御を示すフローチャートである。使用者がリズム鍵域Ｄ１〜Ｄ６内の鍵または音高シフト鍵域Ｎ１内の鍵を離すことによりステップＳ１０でノートオフが検出された場合には、図１０のノートオフ時の第１および第２の再生制御が行われる。
【００５５】
再生制御部１０６は、識別されたリズム鍵域Ｄｋまたは音高シフト鍵域Ｎ１に割り当てられた演奏データ（リズム演奏データまたは音程演奏データ）が再生中であるか否かを判定する（ステップＳ１３１）。演奏データが再生中である場合には、判定部１０７は、鍵域情報に基づいて、再生中の演奏データがループ有効データであるか否かを判定する（ステップＳ１３２）。再生中の演奏データがループ有効データである場合には、再生制御部１０６は、ノートオフの音高がリズム鍵域Ｄｋの黒鍵ＢＫに相当するか否かを判定する（ステップＳ１３３）。ノートオフの音高がリズム鍵域Ｄｋの黒鍵ＢＫに相当しない場合、すなわちノートオフの音高がリズム鍵域Ｄｋの白鍵ＷＨに相当する場合または音高シフト鍵域Ｎ１の黒鍵ＢＫまたは白鍵ＷＨに相当する場合には、再生制御部１０６は、演奏データの再生を停止し（ステップＳ１３４）、ステップＳ１５に進む。ステップＳ１３２において再生中の演奏データがループ無効データである場合には、再生制御部１０６は、演奏データの再生を停止し（ステップＳ１３４）、ステップＳ１５に進む。これにより、使用者は、リズム鍵域Ｄｋのリズム演奏データのループ再生中または通常再生中に白鍵ＷＨを離すことにより、または音高シフト鍵域Ｎ１の音程演奏データの再生中に鍵（黒鍵ＢＫまたは白鍵ＷＨ）を離すことにより、演奏データの再生を停止させることができる。
【００５６】
一方、ステップＳ１３３でノートオフの音高がリズム鍵域Ｄｋの黒鍵ＢＫに相当する場合には、再生制御部１０６は、演奏データの再生を停止せずにステップＳ１５に進む。これにより、使用者は、リズム演奏データのループ再生中に黒鍵ＢＫを離しても、ループ再生を継続させることができる。ステップＳ１３１において演奏データが再生中でない場合には、再生制御部１０６はステップＳ１５に進む。
【００５７】
図１１はノートオフ時の第３の再生制御を示すフローチャートである。使用者がコード検出鍵域ＣＤ内の鍵を離すことによりステップＳ１０でノートオフが検出された場合には、図１１のノートオフ時の第３の再生制御が行われる。
【００５８】
再生制御部１０６は、タイマ９を起動し（ステップＳ１４１）、所定時間が経過したか否かを判定する（ステップＳ１４２）。所定時間は、例えば３２分音符長であるが、これに限定されない。所定時間が経過していない場合には、再生制御部１０６は、操作検出部１０１により検出されるノートオンおよびノートオフを記憶する（ステップＳ１４３）。所定時間が経過した場合には、コード検出部１０４は、記憶されたノートオンのうちノートオフされていない音高（所定時間の経過時にノートオンされている音高）に基づいてコードを検出する（ステップＳ１４４）。再生制御部１０６は、検出されたコードと予め設定された伴奏スタイルデータとに基づいて自動伴奏データを生成し（ステップＳ１４５）、生成された自動伴奏データを再生し（ステップＳ１４６）、ステップＳ１５に進む。これにより、使用者は、自動伴奏データの再生中にコード検出鍵域ＣＤ内で押していた鍵を他の鍵に変更することにより自動伴奏データを変更させることができる。なお、所定時間内にノートオンの音高が記憶されなかった場合には、ステップＳ１４４でコードが変更されなかったことが検出され、ステップＳ１４６で自動伴奏データの再生が継続される。この場合、前回または直前に検出されたコードが持続される。
【００５９】
（６）実施の形態の効果
本実施の形態に係る楽音データ再生装置１００および楽音データ再生方法によれば、リズム鍵域Ｄ１〜Ｄ６内の黒鍵ＢＫへの操作の検出に応答して、楽音データの再生方法に関する第１の制御が行われる。また、リズム鍵域Ｄ１〜Ｄ６内の白鍵ＷＨへの操作の検出に応答して、楽音データの再生方法に関する第２の制御が行われる。この場合、使用者は、演奏中に演奏操作子群２の鍵盤２０以外のスイッチまたはボタン等を切り替える必要がない。それにより、演奏中に演奏を中断することなく楽音データの再生方法に関する制御を容易に切り替えることが可能となる。
【００６０】
また、使用者は、リズム鍵域Ｄ１〜Ｄ６内の黒鍵ＢＫまたは白鍵ＷＨへの操作により、楽音データのループ再生の開始、楽音データの通常再生（１回再生）の開始、楽音データのループ再生の停止または楽音データの１回再生の停止のいずれかを行うことができる。したがって、使用者は、演奏中に簡単な操作によりループ再生および通常再生を切り替えることが可能となる。
【００６１】
さらに、使用者は、音高シフト鍵域Ｎ１の所望の鍵を操作することにより、音高シフト鍵域Ｎ１に割り当てられた楽音データの音高をシフトさせつつ所望の音高を基準とする楽音データを再生させることができる。この場合、使用者は、音高シフト鍵域Ｎ１およびリズム鍵域Ｄ１〜Ｄ６を操作することにより、任意の音高を基準とする音程演奏データに基づく演奏を行いつつ、リズム演奏データのループ再生および通常再生を容易に切り替えることが可能となる。
【００６２】
また、リズム鍵域Ｄ１〜Ｄ６は音高シフト鍵域Ｎ１よりも高い音域側に設定されているので、音高シフト鍵域Ｎ１の操作による演奏を行いつつリズム鍵域Ｄ１〜Ｄ６の操作を容易に行うことができる。なお、リズム鍵域Ｄ１〜Ｄ６が音高シフト鍵域Ｎ１よりも低い音域側に設定された場合でも、使用者は、リズム鍵域Ｄ１〜Ｄ６および音高シフト鍵域Ｎ１の両方を用いた演奏を行うことが可能である。音高シフト鍵域Ｎ１が通常メロディの演奏に用いられる音域Ｆ２〜Ｃ５程度の領域に設定されることにより使用者が演奏しやすくなる。
【００６３】
さらに、演奏操作子群２の鍵盤２０にコード検出鍵域ＣＤを設定することができるので、使用者は、コード検出鍵域ＣＤの鍵を操作することによりコードに基づく自動伴奏を行いつつリズム鍵域Ｄ１〜Ｄ６の操作によるリズム音の切り替えを容易に行うことができる。なお、本実施の形態に係る電子音楽装置１と同種の一般の電子鍵盤楽器では、コード検出鍵域が低い音域（左側）に設けられる。そのため、使用者は、一般の電子鍵盤楽器と同様の演奏方法でコード演奏による自動伴奏を行いつつリズム鍵域Ｄ１〜Ｄ６または音高シフト鍵域Ｎ１を用いた演奏を容易に行うことができる。
【００６４】
また、リズム鍵域Ｄ１〜Ｄ６に割り当てられた演奏データがループ有効データであるかループ無効データであるかの判定結果と黒鍵ＢＫまたは白鍵ＷＨの状態の変化の仕方とに基づいて、ループ再生または通常再生が開始および停止される。それにより、使用者は、リズム鍵域Ｄ１〜Ｄ６内の黒鍵ＢＫおよび白鍵ＷＨを押す操作によりループ再生および通常再生を容易に切り替えることが可能となる。
【００６５】
さらに、使用者は、楽音データがループ有効データである場合に、黒鍵ＢＫを押すことによりループ再生を開始させることができ、黒鍵ＢＫを再度押すことによりループ再生を停止させることができる。それにより、演奏中に黒鍵ＢＫの操作によりループ再生の開始および停止を容易に操作することが可能となる。
【００６６】
また、使用者は、楽音データがループ有効データである場合に、白鍵ＷＨを押し続けている間のみループ再生を継続させることができる。それにより、演奏中に白鍵ＷＨの操作によりループ再生の開始および停止を容易に操作することが可能となる。
【００６７】
なお、本実施の形態では、楽音データ再生装置１００が演奏操作子群２に設定されたリズム鍵域Ｄ１〜Ｄ６（第１の鍵域）および他の鍵域を特定するための鍵域情報を記憶する記憶装置７（記憶部）と、記憶装置７に記憶された鍵域情報に基づいて、操作検出部１０１による操作の検出がリズム鍵域Ｄ１〜Ｄ６への操作の検出か他の領域への検出かを識別する鍵域識別部１０５とをさらに備える。したがって、再生制御部１０６は、リズム鍵域Ｄ１〜Ｄ６への操作と他の領域への操作とを容易に識別することが可能となる。
【００６８】
（７）楽音データ再生方法の他の例
図１２はリズム鍵域Ｄ１〜Ｄ６の鍵が操作された場合の第１の再生制御の他の例を示すフローチャートである。図１２の第１の再生制御は図５のステップＳ７の代わりに行われる。
【００６９】
使用者がリズム鍵域Ｄ１〜Ｄ６内の鍵を押すことにより図５のステップＳ３でノートオンが検出された場合には、判定部１０７は、鍵域情報に基づいて、リズム鍵域Ｄｋに割り当てられたリズム演奏データがループ有効データであるか否かを判定する（ステップＳ７０１）。
【００７０】
演奏データがループ有効データである場合には、再生制御部１０６は、ノートオンの音高が白鍵ＷＨに相当するか否かを判定する（ステップＳ７０２）。ノートオンの音高が白鍵ＷＨに相当する場合には、再生制御部１０６は、リズム演奏データがループ再生中であるか否かを判定する（ステップＳ７０３）。
【００７１】
リズム演奏データがループ再生中でない場合には、再生制御部１０６は、リズム演奏データが通常再生中であるか否かを判定する（ステップＳ７０４）。リズム演奏データが通常再生中でない場合には、再生制御部１０６は、リズム演奏データの再生を先頭から開始する（ステップＳ７０６）。ステップＳ７０４でリズム演奏データが通常再生中の場合には、再生制御部１０６は、リズム演奏データの再生を停止し（ステップＳ７０５）、リズム演奏データの再生を先頭から開始する（ステップＳ７０６）。ステップＳ７０３でリズム演奏データがループ再生中の場合には、再生制御部１０６は、ループ再生を解除し、通常再生に戻る（ステップＳ７０７）。
【００７２】
これにより、使用者は、リズム演奏データの再生の停止中に白鍵ＷＨを押すことにより通常再生を先頭から開始させることができる。また、使用者は、リズム演奏データの通常再生中に白鍵ＷＨを押すことによりリズム演奏データの再生を先頭から開始させることができる。さらに、使用者は、リズム演奏データのループ再生中に白鍵ＷＨを押すことによりループ再生を通常再生に切り替えることができる。通常再生では、リズム演奏データが最後まで再生されると、再生が終了する。なお、ステップＳ７０４でリズム演奏データが通常再生中である場合にステップＳ７０５，Ｓ７０６がスキップされてもよい。この場合、リズム演奏データの通常再生中に使用者が白鍵ＷＨを押しても通常再生がそのまま継続される。
【００７３】
ステップＳ７０２においてノートオンの音高が白鍵ＷＨに相当しない場合（黒鍵ＢＫに相当する場合）には、再生制御部１０６は、リズム演奏データが再生中であるか否かを判定する（ステップＳ７０８）。リズム演奏データが再生中でない場合には、再生制御部１０６は、リズム演奏データのループ再生を開始する（ステップＳ７０９）。リズム演奏データが再生中である場合には、再生制御部１０６は、リズム演奏データの再生をループ再生に切り替える（ステップＳ７１０）。ステップＳ７０８でリズム演奏データがループ再生中の場合には、再生制御部１０６は、そのままループ再生を継続する。
【００７４】
これにより、使用者は、リズム演奏データの再生の停止中に黒鍵ＢＫを押すことによりループ再生を開始させることができる。また、使用者は、リズム演奏データの通常再生中に黒鍵ＢＫを押すことにより、通常再生をループ再生に切り替えることができる。なお、再生制御部１０６は、リズム演奏データのループ再生中に黒鍵ＢＫが押された場合にループ再生を通常再生に切り替えてもよい。
【００７５】
ステップＳ７０１でリズム演奏データがループ有効データでない場合（ループ無効データである場合）には、再生制御部１０６は、リズム演奏データが再生中であるか否かを判定する（ステップＳ７０４）。リズム演奏データが通常再生中である場合には、再生制御部１０６は、リズム演奏データの再生を停止し（ステップＳ７０５）、リズム演奏データの再生を先頭から開始する（ステップＳ７０６）。リズム演奏データが通常再生中でない場合には、再生制御部１０６は、リズム演奏データの再生を先頭から開始する（ステップＳ７０６）。
【００７６】
それにより、使用者は、ループ無効データであるリズム演奏データの再生停止中に黒鍵ＢＫまたは白鍵ＷＨを押すことによりリズム演奏データの通常再生を先頭から開始させることができる。また、ループ無効データであるリズム演奏データの通常再生中に黒鍵ＢＫまたは白鍵ＷＨを押すことによりリズム演奏データの通常再生を先頭から開始させることができる。
【００７７】
（８）他の実施の形態
上記実施の形態におけるリズム鍵域Ｄ１〜Ｄ６の黒鍵ＢＫの機能と白鍵ＷＨの機能とが互いに逆であってもよい。なお、複数のリズム鍵域Ｄ１〜Ｄ６間で黒鍵ＢＫおよび白鍵ＷＨの機能が共通であることが好ましい。それにより、使用者が黒鍵ＢＫおよび白鍵ＷＨの機能を容易に認識することができる。
【００７８】
リズム鍵域Ｄ１〜Ｄ６は、使用者により設定可能であってもよく、予め固定的に設定されていてもよい。各リズム鍵域Ｄｋに含まれる黒鍵ＢＫおよび白鍵ＷＨの数は上記実施の形態に限定されない。各リズム鍵域は、１つ以上の任意の数の黒鍵ＢＫと１つ以上の任意の数の白鍵ＷＨとを含んでもよい。
【００７９】
鍵盤状の演奏操作子群２は、鍵盤の形を有することに限定されず、音階を形成する複数のパッド等の演奏操作子の並びを含んでもよい。この場合、複数の演奏操作子の一部は「♯」および「♭」が付されない音名を有する白鍵に相当し、複数の演奏操作子の他は「♯」および「♭」が付された音名を有する黒鍵に相当する。リズム鍵域Ｄ１〜Ｄ６の数は上記実施の形態に限定されず、鍵盤２０に１つのリズム鍵域のみが設定されてもよく、任意の数の複数のリズム鍵域が設定されてもよい。音高シフト鍵域Ｎ１またはコード検出鍵域ＣＤの代わりに、各鍵を押すことによりその鍵に対応する単音を発生させる通常の演奏を行うための鍵域が設定されてもよい。
【００８０】
上記実施の形態では、楽音データの再生方法がループ再生および通常再生の方法であるが、本発明の再生方法はこれに限定されず、音高のみの差異を除く他の再生方法であってもよい。例えば、再生方法が音響効果の種類の切り替えまたは調整の方法であってもよい。この場合、リズム鍵域Ｄ１〜Ｄ６の黒鍵ＢＫまたは白鍵ＷＨを操作することにより音響効果の種類の切り替えまたは調整を行うことができる。
【００８１】
上記実施の形態では、楽音データは演奏音を表す演奏データまたは伴奏音を表す自動伴奏データであるが、楽音データが歌声を表す歌唱データであってもよい。本発明の楽音データ再生装置は、電子鍵盤楽器に限らず、スマートフォン、タブレット端末、パーソナルコンピュータ等の電子デバイスにも適用可能である。この場合、鍵盤状の演奏操作子群が画面上に表示されてもよく、鍵盤状の演奏操作子群が電子デバイスに接続されてもよい。
【図１】
2019049383.tif 000003
【図２】
2019049383.tif 000004
【図３】
2019049383.tif 000005
【図４】
2019049383.tif 000006
【図５】
2019049383.tif 000007
【図６】
2019049383.tif 000008
【図７】
2019049383.tif 000009
【図８】
2019049383.tif 000010
【図９】
2019049383.tif 000011
【図１０】
2019049383.tif 000012
【図１１】
2019049383.tif 000013
【図１２】
2019049383.tif 000014
【手続補正書】
【提出日】令和2年2月17日(2020.2.17)
【手続補正１】
【補正対象書類名】明細書
【補正対象項目名】００２２
【補正方法】変更
【補正の内容】
【００２２】
記憶装置７は、ハードディスク、光学ディスク、磁気ディスクまたはメモリカード等の記憶媒体を含む。この記憶装置７には、楽器の演奏音を示す演奏データおよび自動伴奏のための伴奏スタイルデータが記憶されるとともに鍵域情報が記憶される。本実施の形態では、楽音データは演奏データおよび後述する自動伴奏データを含む。楽音データは、オーディオデータであってもよく、ＭＩＤＩ（Musical Instrument Digital Interface）データであってもよい。鍵域情報については後述する。また、記憶装置７には、楽音データ再生プログラム等のコンピュータプログラムが記憶される。
【手続補正２】
【補正対象書類名】明細書
【補正対象項目名】００２４
【補正方法】変更
【補正の内容】
【００２４】
楽音データ再生プログラムは、コンピュータが読み取り可能な記憶媒体に格納された形態で提供され、記憶装置７またはＲＯＭ１１にインストールされてもよい。また、楽音データ再生プログラムが外部記憶装置１３に記憶されてもよい。さらに、通信Ｉ／Ｆ１２が通信網に接続されている場合、通信網に接続されたサーバから配信された楽音データ再生プログラムが記憶装置７またはＲＯＭ１１にインストールされてもよい。
【手続補正３】
【補正対象書類名】明細書
【補正対象項目名】００６７
【補正方法】変更
【補正の内容】
【００６７】
なお、本実施の形態では、楽音データ再生装置１００が演奏操作子群２に設定されたリズム鍵域Ｄ１〜Ｄ６（第１の鍵域）および他の鍵域を特定するための鍵域情報を記憶する記憶装置７（記憶部）と、記憶装置７に記憶された鍵域情報に基づいて、操作検出部１０１による操作の検出がリズム鍵域Ｄ１〜Ｄ６への操作の検出か他の領域への操作の検出かを識別する鍵域識別部１０５とをさらに備える。したがって、再生制御部１０６は、リズム鍵域Ｄ１〜Ｄ６への操作と他の領域への操作とを容易に識別することが可能となる。
【国際調査報告】
2019049383.tif 000015
2019049383.tif 000016
2019049383.tif 000017
2019049383.tif 000018